(57)【要約】【課題】顧客側にインターネットへの接続環境とパーソナルコンピュータ等の機器環境が備えられていない場合でも、購入商品の詳細情報を用紙に印刷して提供可能にする。【解決手段】ＰＯＳ端末から収集した顧客の識別子と取引に関する商品及び取引明細情報とを関連付けて記憶するサーバとの通信を行う通信部と、会員カードから顧客の識別子を読取るカード読取部と、読取った顧客の識別子をサーバに送信し、顧客の識別子に関連付けて記憶する取引に関する商品の詳細データを取得するデータ取得部と、詳細データの印刷設定画面を表示する表示パネルと、印刷設定画面上で詳細データの印刷フォーマット及び印刷項目を選択する操作部と、選択した印刷フォーマット及び印刷項目に基づいて詳細データから購入商品詳細リストを作成するリスト作成部と、購入商品詳細リストを用紙に印刷する印刷部とを備える商品情報印刷装置。【選択図】図１
2015162213.tif 000002
【特許請求の範囲】
【請求項１】
ＰＯＳ端末から収集した顧客の識別子と取引に関する商品及び取引明細情報とを関連付けて記憶するサーバとの通信を行う通信部と、
会員カードから前記顧客の識別子を読取るカード読取部と、
前記カード読取部で読取った前記顧客の識別子を前記サーバに前記通信部を介して送信し、前記顧客の識別子に関連付けて記憶する前記取引に関する商品の詳細データを前記サーバから取得するデータ取得部と、
前記詳細データの印刷設定画面を表示する表示パネルと、
前記表示パネルの前記印刷設定画面上で前記詳細データの印刷フォーマット及び印刷項目を選択する操作部と、
前記操作部で選択した印刷フォーマット及び印刷項目に基づいて前記詳細データから購入商品詳細リストを作成するリスト作成部と、
前記リスト作成部で作成した購入商品詳細リストを用紙に印刷する印刷部と、
を備えることを特徴とする商品情報印刷装置。
【請求項２】
前記ＰＯＳ端末がレシートに前記取引の識別子を変換したバーコードを印字する場合に、前記レシートの前記バーコードを読取るスキャナ部を更に備え、
前記データ取得部は、前記スキャナ部で読取った取引の識別子を前記サーバに前記通信部を介して送信し、前記取引の識別子に関連付けて記憶する取引に関する商品の詳細データを前記サーバから取得することを特徴とする請求項１記載の商品情報印刷装置。
【請求項３】
ＰＯＳ端末から収集した顧客の識別子と取引に関する商品と取引明細情報及び印刷指示情報とを関連付けて記憶するサーバとの通信を行う通信部と、
前記印刷指示情報がＯＮの場合に、前記サーバが前記顧客の識別子に関連付けてリアルタイムで生成した前記取引に関する商品の詳細データを、前記顧客の識別子に予め関連付けられた登録印刷フォーマットとともに前記通信部を介して前記サーバから取得するデータ取得部と、
前記データ取得部で取得した詳細データ及び登録印刷フォーマットを記憶する購入商品詳細データ記憶部と、
会員カードから前記顧客の識別子を読取るカード読取部と、
前記詳細データ記憶部から前記顧客の識別子に係る前記詳細データ及び前記登録印刷フォーマットを抽出して購入商品詳細リストを作成するリスト作成部と、
前記リスト作成部で作成した購入商品詳細リストを用紙に印刷する印刷部と、
を備えることを特徴とする商品情報印刷装置。
【請求項４】
前記ＰＯＳ端末がレシートに前記取引の識別子を変換したバーコードを印字する場合に、前記レシートの前記バーコードを読取るスキャナ部を更に備え、
前記リスト作成部は、前記スキャナ部が読取った取引の識別子をキーに前記購入商品詳細データ記憶部から前記詳細データ及び前記登録印刷フォーマットを抽出して購入商品詳細リストを作成することを特徴とする請求項３記載の商品情報印刷装置。
【請求項５】
取引完了時に顧客の識別子と取引に関する商品及び取引明細情報とを関連付けた取引データを出力するＰＯＳ端末と、
前記ＰＯＳ端末から前記取引データを収集し、記憶するサーバと、
商品情報印刷装置と、
を備え、
前記商品情報印刷装置は、
前記店舗管理サーバとの通信を行う通信部と、
会員カードから前記顧客の識別子を読取るカード読取部と、
前記カード読取部で読取った前記顧客の識別子を前記サーバに前記通信部を介して送信し、前記顧客の識別子に関連付けて記憶する前記取引に関する商品の詳細データを前記サーバから取得するデータ取得部と、
前記詳細データの印刷設定画面を表示する表示パネルと、
前記表示パネルの前記印刷設定画面上で前記詳細データの印刷フォーマット及び印刷項目を選択する操作部と、
前記操作部で選択した印刷フォーマット及び印刷項目に基づいて前記詳細データから購入商品詳細リストを作成するリスト作成部と、
前記リスト作成部で作成した購入商品詳細リストを用紙に印刷する印刷部と、
を有することを特徴とする商品情報印刷システム。
【発明の詳細な説明】
【技術分野】
【０００１】
本実施形態は、商品情報印刷装置及び商品情報印刷システムに関する。
【背景技術】
【０００２】
従来、購入者が自宅で購入品管理を行う際には、購入に伴ってレジスタより発行されるレシートを参照しながら家計簿に書き写す、あるいはレシートをノートに貼りつけて利用することが多い。このような手作業には時間を要するため、店舗等に設置されているサーバに購入品データを保存しておき、購入者は自宅等からインターネットを介してサーバにアクセスして購入品データを取得する手段や、レシートに管理番号のバーコードを印字し、購入者はバーコードを自身の所有する携帯電話に搭載されたカメラから読み込み、インターネットを介してサーバから購入品データを取得する手段が考案されている。
【０００３】
しかしながら、従来技術では購入者側にインターネットへの接続環境とパーソナルコンピュータや携帯電話等の機器環境が備えられており、購入品データとして電子データを使用することが前提となっている。このため、パーソナルコンピュータ等の情報端末を所有していない、あるいは使用できない購入者が購入品を管理する際には従来通りレシートをノートに貼り付ける、レシートを参照しながらノートに書き写す等の作業をしなければならなかった。
【先行技術文献】
【特許文献】
【０００４】
【特許文献１】特開２００３−２８８４７９号公報
【特許文献２】特開２００６−１７８５６１号公報
【特許文献３】特開２０１０−８６０２２号公報
【発明の概要】
【発明が解決しようとする課題】
【０００５】
本発明は、顧客側にインターネットへの接続環境とパーソナルコンピュータ等の機器環境が備えられていない場合でも、通常のレシートには印字されない購入商品の詳細情報を用紙に印刷して提供可能な商品情報印刷装置及び商品情報印刷システムを提供することを目的とする。
【課題を解決するための手段】
【０００６】
本発明の一実施形態に係る商品情報印刷装置は、ＰＯＳ端末から収集した顧客の識別子と取引に関する商品及び取引明細情報とを関連付けて記憶するサーバとの通信を行う通信部と、会員カードから前記顧客の識別子を読取るカード読取部と、前記カード読取部で読取った前記顧客の識別子を前記サーバに前記通信部を介して送信し、前記顧客の識別子に関連付けて記憶する前記取引に関する商品の詳細データを前記サーバから取得するデータ取得部と、前記詳細データの印刷設定画面を表示する表示パネルと、前記表示パネルの前記印刷設定画面上で前記詳細データの印刷フォーマット及び印刷項目を選択する操作部と、前記操作部で選択した印刷フォーマット及び印刷項目に基づいて前記詳細データから購入商品詳細リストを作成するリスト作成部と、前記リスト作成部で作成した購入商品詳細リストを用紙に印刷する印刷部と、を備えることを特徴とする。
【図面の簡単な説明】
【０００７】
【図１】実施形態１に係る商品情報印刷システムの全体構成例を示すブロック図。
【図２】実施形態１において表示パネルに表示される印刷設定画面の具体例を示す図。
【図３】実施形態１において印刷部から出力される購入商品詳細リストの具体例を示す図。
【図４】実施形態１におけるＰＯＳ端末の処理例を示すフローチャート。
【図５】実施形態１における店舗管理サーバの処理例を示すフローチャート。
【図６】実施形態１における商品情報印刷装置の処理例を示すフローチャート。
【図７】実施形態２に係る商品情報印刷システムの全体構成例を示すブロック図。
【図８】実施形態２における商品情報印刷装置の処理例を示すフローチャート。
【図９】実施形態３に係る商品情報印刷システムにおける全体構成例を示すブロック図。
【図１０】実施形態３における店舗管理サーバの処理例を示すフローチャート。
【図１１】実施形態３における商品情報印刷装置の処理例を示すフローチャート。
【発明を実施するための形態】
【０００８】
以下、本実施形態に係る商品情報印刷システムについて図面を参照して詳細に説明する。
【０００９】
＜実施形態１＞
図１は、実施形態１に係る商品情報印刷システムの全体構成例を示すブロック図である。ここでは、商品情報印刷装置１０及びＰＯＳ端末２０が店舗管理サーバ３０にＬＡＮなどのネットワーク（図示省略する）を介してそれぞれ接続されており、各装置はいずれも同一の店舗内に設置されているものとする。
【００１０】
商品情報印刷装置１０は、買物客からの要求に応じて店舗管理サーバ３０からダウンロードしたデータを購入商品詳細リストとして用紙に印刷するＭＦＰなどの装置である。購入商品詳細リストは、通常のレシートには記載されない商品の詳細情報が記載されたリストである。詳細情報の具体例としては、消費期限、アレルギー注意情報、産地、農薬使用の有無、製造日、生産者からのメッセージなどが挙げられる。ＰＯＳ端末２０は、買物客が商品を購入あるいはサービスの提供を受けた際に会計処理を行う端末であり、会計処理の結果を取引データとして店舗管理サーバ３０へ出力する。取引データ（購入履歴データ）には、顧客の識別子と取引に関する商品及び取引明細情報が含まれる。取引明細情報としては、取引日時、商品名、単価、数量及び合計金額などが含まれる。店舗管理サーバ３０は、店舗内の全てのＰＯＳ端末２０から取引データをリアルタイムで収集し、統計処理を実行した後にデータベース（図示省略する）内で管理するサーバコンピュータである。
【００１１】
図１に示すように、商品情報印刷装置１０は、制御部１０１、通信部１０２、カード読取部１０３、表示パネル１０４、操作部１０５、及び印刷部１０６を備えている。  
制御部１０１は、ＣＰＵ（Central Processing Unit）等の演算装置とＲＯＭ（Read Only Memory）及びＲＡＭ（Random Access Memory）等の記憶装置により実装される制御ユニットであり、インストールされている種々のプログラムを実行することで商品情報印刷装置１０全体を制御する。ここでは、制御部１０１内で実行されるプログラムの具体例として、データ取得プログラム１０１Ａとリスト作成プログラム１０１Ｂを挙げているが、実行されるプログラムはこれらに限られない。
【００１２】
データ取得プログラム１０１Ａは、カード読取部１０３で読取った購入者ＩＤを店舗管理サーバ３０に通信部１０２を介して送信し、店舗管理サーバ３０が購入者ＩＤに係る取引データとこのデータに含まれる商品ＩＤに予め関連付けされた商品データとに基づいて生成した購入商品詳細データを取得する。リスト作成プログラム１０１Ｂは、買物客が操作部１０５により選択した印刷フォーマット及び印刷項目に基づいて購入商品詳細データから購入商品詳細リストを作成する。
【００１３】
通信部１０２は、店舗管理サーバ３０との通信を行う通信装置である。カード読取部１０３は、店舗が会員に発行する会員カードの内部に記録されている会員ＩＤを読取る入力装置である。会員カードはＩＣカードあるいは磁気カード等の記録媒体である。本実施形態では、ＰＯＳ端末２０での会計処理の際に、会員ＩＤは取引データの購入者ＩＤとして設定されるものとする。
【００１４】
表示パネル１０４は、購入商品詳細データの印刷設定画面等の操作用画面を表示する表示装置である。図２は、表示パネル１０４に表示される印刷設定画面の具体例を示す図である。ここでは、購入商品詳細リストに印刷する項目を商品名、単価、数量、商品別の合計金額、産地／メーカー、消費期限、製造日、アレルギー注意情報、農薬使用情報などの中から買物客が任意に選択できることが示されている。また、買物客は印刷装置の表示パネル１０４に表示された画面の指示に従って印刷フォーマットの設定も行えるが、ここで設定された印刷フォーマットデータを会員カード内の会員ＩＤ（購入者ＩＤ）とともに店舗管理サーバ３０へ送信し、データベース（会員データテーブル３０Ｃ）に保存して同一会員の次回以降の初期値として利用すると好適である。
【００１５】
操作部１０５は、商品情報印刷装置１０に備えられている諸機能をユーザが任意に選択し、装置を操作するための入力装置である。例えば、操作部１０５では、表示パネル１０４の印刷設定画面上で購入商品詳細データの印刷フォーマット及び印刷項目を選択する。
【００１６】
印刷部１０６は、リスト作成プログラム１０１Ｂで作成した購入商品詳細リストを用紙に印刷する印刷装置である。図３は、印刷部１０６から出力される購入商品詳細リストの具体例を示す図である。ここでは、用紙のヘッダー部分には会員ＩＤ、購入日時、店舗名が印字され、中央のリスト部分には商品名、単価、数量、合計金額、産地、消費期限及びアレルギー注意情報が印字されている。
【００１７】
また、店舗管理サーバ３０は、取引データテーブル３０Ａ、商品データテーブル３０Ｂ及び会員データテーブル３０Ｃを含むデータベースを備えている。取引データテーブル３０Ａは、ＰＯＳ端末２０から収集した取引データを管理するテーブルであり、取引ＩＤ、購入者ＩＤ、購入日時、商品ＩＤ、購入単価、購入数量等をデータ項目とする。商品データテーブル３０Ｂは、店舗で販売している商品の詳細データを管理するテーブルであり、商品ＩＤ、商品名、商品区分、産地、メーカー、消費期限、アレルギー注意情報及び農薬使用情報等をデータ項目とする。会員データテーブル３０Ｃは、店舗あるいは店舗グループの会員情報を管理するテーブルであり、会員ＩＤ、氏名、年齢、入会日、購入ポイント及び登録印刷フォーマット等をデータ項目とする。なお、各テーブルのデータ項目はあくまで一例であり、これらに限定されない。
【００１８】
以下、上記のように構成された商品情報印刷システムにおける各装置の動作を図面に基づいて説明する。  
図４は、本実施形態におけるＰＯＳ端末２０の処理例を示すフローチャートである。買物客が商品をレジに運び、会計処理をする際には、店員はＰＯＳ端末２０のスキャナー（図示省略する）を用いて商品に貼付されたバーコードを読取る（Ｓ１０１）。バーコードには商品を特定する商品ＩＤなどのデータが含まれている。バーコードが貼付されていない商品については、店員がＰＯＳ端末２０のキーボード（図示省略する）から各商品に対応したキーを押下し、単価などを直接入力する。
【００１９】
ＰＯＳ端末２０における会計処理の中で、キャッシャーによって現計キーが押下されると（Ｓ１０２：Ｙｅｓ）、商品の単価と数量から購入金額を算出する（Ｓ１０３）。現計キーが押下されない場合（Ｓ１０２：Ｎｏ）は、Ｓ１０１へ戻る。
【００２０】
ＰＯＳ端末２０の中に買物客からの受取金額が購入金額以上の場合（Ｓ１０４：Ｙｅｓ）は、釣銭金額を算出し、出金の準備を行う（Ｓ１０５）。購入金額の方が受取金額よりも少ない場合（Ｓ１０４：Ｎｏ）は、不足分が入金されるまで待機する。
【００２１】
買物客が所持している会員カードをカード読取部１０３で読取った場合（Ｓ１０６：Ｙｅｓ）には、会員ＩＤを購入者ＩＤに設定し、購入商品の商品ＩＤ、商品名、単価、数量、商品別の小計金額、合計金額、受取金額、購入者ＩＤ等を含む取引データを作成する（Ｓ１０７）。買物客が会員カードを所持していない場合（Ｓ１０６：Ｎｏ）は、所定のカウンタ値（例えば、当日の取引数）あるいは所定のゲスト会員ＩＤを購入者ＩＤに設定して取引データを作成する（Ｓ１０８）。
【００２２】
そして、ＰＯＳ端末２０は、取引データ、受取金額及び釣銭金額をレシートに印字し（Ｓ１０９）、取引データを店舗管理サーバ３０に送信（Ｓ１１０）して処理を終了する。
【００２３】
図５は、本実施形態における店舗管理サーバ３０の処理例を示すフローチャートである。
【００２４】
店舗管理サーバ３０がＰＯＳ端末２０から取引データを受信すると（Ｓ２０１）、受信データをデータベース（取引データテーブル３０Ａ）内に保存する（Ｓ２０２）。
【００２５】
ＰＯＳ端末２０から購入商品データのダウンロード要求が有った場合（Ｓ２０３：Ｙｅｓ）には、ＰＯＳ端末２０から送信された会員ＩＤをキーにデータベースから印刷可能な取引データの取引ＩＤリストを取得し（Ｓ２０４）、これを商品情報印刷装置１０へ送信する（Ｓ２０５）。同一の会員ＩＤの取引データが複数存在する場合には、全ての取引ＩＤをリストに含めることもできるが、データの登録日付（購入日）や印刷回数等を考慮して購入日が印刷対象期間に含まれるデータや印刷サービスを利用していないデータのみをリスト対象としてもよい。商品情報印刷装置１０側では、取引ＩＤリストデータを受信すると、リストを表示パネル１０４に候補表示し、買物客からの選択を受付けるものとする。
【００２６】
商品情報印刷装置１０から印刷を希望する取引ＩＤを受信すると（Ｓ２０６：Ｙｅｓ）、店舗管理サーバ３０では取引ＩＤをキーとして取引データを取得する（Ｓ２０７）とともに、取引データに含まれる商品ＩＤをキーとして商品データを取得する（Ｓ２０８）。商品情報印刷装置１０から取引ＩＤを受信しない場合（Ｓ２０６：Ｎｏ）は、データを受信するまで待機状態となる。
【００２７】
店舗管理サーバ３０は、取引データと商品データを取得した後に、二つのデータから購入商品詳細データを生成し（Ｓ２０９）、これを商品情報印刷装置１０へ送信（Ｓ２１０）して処理を終了する。
【００２８】
図６は、本実施形態における商品情報印刷装置１０の処理例を示すフローチャートである。この処理は、会計を済ませた買物客が会員カードを利用して購入商品詳細リストを印刷する場合に行われる。
【００２９】
買物客が所持する会員カード内に記録されている会員ＩＤをカード読取部１０３で読取ると（Ｓ３０１）、会員ＩＤをキーとして店舗管理サーバ３０にアクセスする（Ｓ３０２）。
【００３０】
店舗管理サーバ３０側で会員ＩＤと一致する購入者ＩＤの取引データが有った場合（Ｓ３０３：Ｙｅｓ）には、印刷可能な取引データの取引ＩＤリストをダウンロードし（Ｓ３０４）、Ｓ３０６へ進む。これに対し、会員ＩＤと一致する購入者ＩＤの取引データが店舗管理サーバ３０側に無かった場合（Ｓ３０３：Ｎｏ）には、表示パネル１０４に印刷可能なデータ無しのメッセージを表示し（Ｓ３０５）、処理を終了する。
【００３１】
Ｓ３０４において店舗管理サーバ３０からダウンロードした取引ＩＤリストを表示パネル１０４に画面表示すると、データ取得プログラム１０１Ａは買物客が操作部１０５を介して取引ＩＤリストの中から選択した取引ＩＤの情報を取得する（Ｓ３０６）。
【００３２】
選択された取引ＩＤを含むダウンロード要求が店舗管理サーバ３０に送信されると、データ取得プログラム１０１Ａは店舗管理サーバ３０側で取引ＩＤをキーに生成された購入商品詳細データをダウンロードする（Ｓ３０７）。
【００３３】
表示パネル１０４に印刷設定画面を表示すると、リスト作成プログラム１０１Ｂは買物客が操作部１０５を介して選択した印刷フォーマットと印刷項目の情報を取得する（Ｓ３０８）。
【００３４】
リスト作成プログラム１０１Ｂは、Ｓ３０８で取得された印刷フォーマットと印刷項目に基づいて購入商品詳細データを編集し、購入商品詳細リストとして用紙に印刷する（Ｓ３０９）。
【００３５】
印刷後に表示パネル１０４上に表示した操作画面において買物客から印刷終了が選択された場合（Ｓ３１０：Ｙｅｓ）には、処理を終了する。これに対し、印刷続行が選択された場合（Ｓ３１０：Ｎｏ）には、Ｓ３０６へ戻る。
【００３６】
本実施形態に係る商品情報印刷システムによれば、購入者側にインターネットへの接続環境とパーソナルコンピュータ等の機器環境が備えられていない場合でも、通常のレシートには印字されない消費期限や産地等の購入商品の詳細情報をリストとして用紙に印刷し、提供することができるため、用紙自体を綴じることでそのまま家計簿として利用することもできる。また、印刷する際に、買物客が所望の印刷フォーマットや印刷項目を選択する構成のため、買物客のニーズに合わせてリストを印刷することができる。
【００３７】
＜実施形態２＞
図７は、実施形態２に係る商品情報印刷システムの全体構成例を示すブロック図である。同図に示されるように、本実施形態に係る商品情報印刷システムは、商品情報印刷装置１０内にスキャナ部１０７を更に備えている。なお、図１において付された符号と共通する符号は同一の対象を表し、ＰＯＳ端末２０及び店舗管理サーバ３０における処理も実施形態１と同様であるため、共通部分の説明を省略して、以下では実施形態１と異なる箇所について詳細に説明する。
【００３８】
実施形態１では商品情報印刷装置１０に設置されたカード読取部１０３において会員カードから会員ＩＤを読み込んでいたのに対し、本実施形態ではＰＯＳ端末２０が取引ＩＤを変換したバーコードをレシートに印字し、このバーコードを商品情報印刷装置１０のスキャナ部１０７で読取る構成である。データ取得プログラム１０１Ａは、スキャナ部１０７で読取った取引ＩＤを店舗管理サーバ３０に通信部１０２を介して送信し、店舗管理サーバ３０が取引ＩＤに係る取引データとこのデータに含まれる商品ＩＤに予め関連付けされた商品データとに基づいて生成した購入商品詳細データを取得する。
【００３９】
図８は、本実施形態における商品情報印刷装置１０の処理例を示すフローチャートである。この処理は、会計を済ませた買物客がバーコード付きレシートを利用して購入商品詳細リストの印刷を希望した場合に行われる。
【００４０】
買物客が所持するバーコード付きレシートをスキャナ部１０７で読取ると（Ｓ４０１）、レシート内に記録されている取引ＩＤをキーとして店舗管理サーバ３０にアクセスする（Ｓ４０２）。
【００４１】
店舗管理サーバ３０のデータベース（取引データテーブル３０Ａ）内に取引ＩＤに係る取引データが有った場合（Ｓ４０３：Ｙｅｓ）には、Ｓ４０４へ進む。これに対し、取引ＩＤに係る取引データが店舗管理サーバ３０のデータベースに無かった場合（Ｓ４０３：Ｎｏ）には、表示パネル１０４に印刷可能なデータ無しのメッセージを表示し（Ｓ４０５）、処理を終了する。
【００４２】
データ取得プログラム１０１Ａは、店舗管理サーバ３０側で取引ＩＤをキーに生成された購入商品詳細データをダウンロードする（Ｓ４０４）。
【００４３】
表示パネル１０４に印刷設定画面を表示すると、リスト作成プログラム１０１Ｂは買物客が操作部１０５を介して選択した印刷フォーマットと印刷項目の情報を取得する（Ｓ４０６）。
【００４４】
リスト作成プログラム１０１Ｂは、選択された印刷フォーマットと印刷項目に基づいて購入商品詳細データを編集し、購入商品詳細リストとして用紙に印刷し（Ｓ４０７）、処理を終了する。
【００４５】
本実施形態に係る商品情報印刷システムによれば、上記実施形態１の効果に加え、会員カードを所持していない買物客であっても、ＰＯＳ端末２０から出力されたバーコード付きレシートを利用することで購入商品詳細リストを印刷することができるという効果を奏する。
【００４６】
なお、本実施形態の変形例として商品情報印刷装置１０からカード読取部１０３を除いた装置構成も考えられる。この場合には、既存のＭＦＰの中に制御用のプログラムをインストールするとともに、店舗管理サーバ３０へのアクセス権限を設定するだけで簡単に実装できる利点がある。
【００４７】
＜実施形態３＞
図９は、実施形態３に係る商品情報印刷システムにおける全体構成例を示すブロック図である。同図に示されるように、本実施形態に係る商品情報印刷システムは、商品情報印刷装置１０内に購入商品詳細データ記憶部１０８を更に備えている。なお、図１及び図７において付された符号と共通する符号は同一の対象を表し、ＰＯＳ端末２０における処理も同様であるため、共通部分の説明を省略して、以下では実施形態１・２と異なる箇所について詳細に説明する。
【００４８】
店舗管理サーバ３０は、ＰＯＳ端末２０から受信した取引データに含まれる印刷指示フラグがＯＮに設定されている場合には、購入者ＩＤに係る取引データと取引データに含まれる商品ＩＤに予め関連付けられた商品データに基づいて購入商品詳細データをリアルタイムで生成し、購入者ＩＤに予め関連付けられた登録印刷フォーマットとともに商品情報印刷装置１０へ送信する。取引データに含まれる印刷指示フラグがＯＮに設定する方法の具体例としては、会員カードの発行時点でカード内に予め設定しておく方法、買物客からの要求に応じて会計時にキャッシャーがキーボードから設定する方法などが挙げられる。
【００４９】
そして、商品情報印刷装置１０側では、データ取得プログラム１０１Ａが通信部１０２を介して取得した購入商品詳細データ及び登録印刷フォーマットを購入商品詳細データ記憶部１０８内に関連付けて記憶する。すなわち、実施形態１・２の場合とは異なり、商品情報印刷装置１０側から店舗管理サーバ３０にデータのダウンロード要求は行う必要はなく、サーバから受信したデータを装置内に蓄積する構成である。
【００５０】
図１０は、本実施形態における店舗管理サーバ３０の処理例を示すフローチャートである。この処理は、ＰＯＳ端末２０から取引データを受信するたびに自動的に行われる。
【００５１】
店舗管理サーバ３０は、ＰＯＳ端末２０から取引データを受信すると（Ｓ５０１：Ｙｅｓ）、受信データをデータベース（取引データテーブル３０Ａ）内に保存する（Ｓ５０２）。ＰＯＳ端末２０から取引データを受信しない場合は（Ｓ５０１：Ｎｏ）、処理を終了する。
【００５２】
受信した取引データ内を解析し、印刷指示フラグがＯＮの場合（Ｓ５０３：Ｙｅｓ）には、取引データに含まれる購入者ＩＤと一致する会員ＩＤがデータベース（会員データテーブル３０Ｃ）に存在するか否かを判定する（Ｓ５０４）。これに対し、印刷指示フラグがＯＦＦの場合（Ｓ５０３：Ｎｏ）には、処理を終了する。
【００５３】
購入者ＩＤと一致する会員ＩＤが会員データテーブル３０Ｃに存在する場合（Ｓ５０４：Ｙｅｓ）には、その会員ＩＤをキーにして登録印刷フォーマットを取得（Ｓ５０５）し、Ｓ５０７へ進む。これに対し、会員ＩＤが会員データテーブル３０Ｃに存在しない場合（Ｓ５０５：Ｙｅｓ）には、初期設定の登録印刷フォーマットを取得し（Ｓ５０６）、Ｓ５０７へ進む。
【００５４】
続いて、店舗管理サーバ３０では取引データに含まれる商品ＩＤをキーとして商品データを取得する（Ｓ５０７）と、取引データと商品データを結合して購入商品詳細データを生成し（Ｓ５０８）、これを商品情報印刷装置１０へ送信（Ｓ５０９）して処理を終了する。なお、Ｓ５０５において買物客の登録印刷フォーマットが取得されている場合は、購入商品詳細データとともに商品情報印刷装置１０に送信するものとする。
【００５５】
図１１は、本実施形態における商品情報印刷装置１０の処理例を示すフローチャートである。
【００５６】
制御部１０１は、通信部１０２における店舗管理サーバ３０からの購入商品詳細データ及び登録印刷フォーマットデータの受信状況を判定し（Ｓ６０１）、データを受信した場合（Ｓ６０１：Ｙｅｓ）には、購入商品詳細データ及び登録印刷フォーマットデータを購入商品詳細データ記憶部１０８に保存する（Ｓ６０２）。データを受信しない場合（Ｓ６０１：Ｎｏ）は、待機状態となる。
【００５７】
制御部１０１は、カード読取部１０３における会員カードの読取状況を判定し（Ｓ６０３）、会員カードの読取りが行われた場合（Ｓ６０３：Ｙｅｓ）には、読取った会員ＩＤをキーにして購入商品詳細データ記憶部１０８から会員ＩＤと一致する購入者ＩＤの購入商品詳細データ及び登録印刷フォーマットを抽出し（Ｓ６０４）、Ｓ６０７へ進む。会員カードの読取りが行われなかった場合（Ｓ６０３：Ｎｏ）には、スキャナ部１０７におけるバーコード付きレシートの読取状況を判定する（Ｓ６０５）。
【００５８】
レシートが読取られた場合（Ｓ６０５：Ｙｅｓ）には、読取った取引ＩＤをキーにして購入商品詳細データ記憶部１０８から購入商品詳細データ及び登録印刷フォーマットを抽出し（Ｓ６０６）、Ｓ６０７へ進む。レシートが読取られない場合（Ｓ６０５：Ｎｏ）には、Ｓ６０１へ戻る。
【００５９】
制御部１０１は、購入商品詳細データ記憶部１０８に印刷可能なデータが存在するか否かを判定し（Ｓ６０７）、購入商品詳細データ記憶部１０８に印刷可能なデータが存在する場合（Ｓ６０７：Ｙｅｓ）には、購入商品詳細データを登録印刷フォーマットに基づいて編集した購入商品詳細リストを用紙に印刷し（Ｓ６０８）、処理を終了する。
【００６０】
購入商品詳細データ記憶部１０８に印刷可能なデータが存在しない場合（Ｓ６０７：Ｎｏ）には、印刷可能なデータ無しのメッセージを表示し（Ｓ６０９）、処理を終了する。
【００６１】
本実施形態に係る商品情報印刷システムによれば、会計処理の一連の流れの中で商品情報印刷装置１０に購入商品詳細データが自動的に伝送される構成のため、買物客の印刷要求があった場合には商品情報印刷装置１０から店舗管理サーバ３０へのアクセスが必要がなくなり、購入商品詳細リストをより迅速に印刷することができるという効果を奏する。
【００６２】
以上、本発明の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲や要旨に含まれるとともに、特許請求の範囲に記載された発明とその均等の範囲に含まれる。
【符号の説明】
【００６３】
１０…商品情報印刷装置、
２０…ＰＯＳ端末、
３０…店舗管理サーバ、
３０Ａ…取引データテーブル、
３０Ｂ…商品データテーブル、
３０Ｃ…会員データテーブル、
１０１…制御部、
１０１Ａ…データ取得プログラム、
１０１Ｂ…リスト作成プログラム、
１０２…通信部、
１０３…カード読取部、
１０４…表示パネル、
１０５…操作部、
１０６…印刷部、
１０７…スキャナ部、
１０８…購入商品詳細データ記憶部。
【図１】
2015162213.tif 000003
【図２】
2015162213.tif 000004
【図３】
2015162213.tif 000005
【図４】
2015162213.tif 000006
【図５】
2015162213.tif 000007
【図６】
2015162213.tif 000008
【図７】
2015162213.tif 000009
【図８】
2015162213.tif 000010
【図９】
2015162213.tif 000011
【図１０】
2015162213.tif 000012
【図１１】
2015162213.tif 000013